(57)【要約】      （修正有）【課題】ローラーの曲面を使うことによってより密ぺい度の高いすきま風予防用具とし、かつドアーの開け閉めにもローラーをコロコロところがすことによって支障のないものとする。【解決手段】１のローラーをドアの下にできたすき間にドア巾のはじからはじまでギリギリで取り付け、３のバネで押さえることによって密着度のあるものとする。薄い金属でできた２の軸により、回転の動きを利用して、必要のない時は上に上げて、固定させておくこともできる。【選択図】図１
0003140231.tif 000002
【実用新案登録請求の範囲】
【請求項１】
マンションなど洋室のドアの下にすき間があり、冬などすき間風が入ってせっかくの暖房を妨げる可能性があるので、すき間に蓋をするようなローラーの設置を考えました。
【請求項２】
これはドアーの巾いっぱいに設置され、ドアーを開けた時も開閉を妨げることのないよう、コロコロころがるようになっています。
【請求項３】
換気の必要な時は開閉に関係なく、バネで上方に場所を移動し、止めておけるようになっています。
【請求項４】
ドアーをいっぱいに開けた時にも、壁とドアにぶつかって邪摩をすることのないように、ローラーの直経を工夫しています。
【請求項５】
色々なドアーの巾に対応できるよう、ローラーの長さは簡単に調節できるようになっています。
【考案の詳細な説明】
【技術分野】
【０００１】    本考案は、ドアーの下から吹くすき間風を防止しつつドアーの開閉を自在にしたローラー形式のすき間風止めです。【０００２】    冬に暖房器で部屋を一生懸命暖めているのに、すき間風が気になっていた。寝る時、暖房器を消してからも、すき間風でうすら寒く感じた。
【考案の開示】
【考案が解決しようとする課題】
【０００３】    すき間風を防ぐためにタオルをロールにしたものや固定したものですき間を埋めるとドアーが自由に開けずらい。
【課題を解決するための手段】
【０００４】    すき間を埋めるのに使っていた固定された道具のかわりにローラーを使いドアーの開閉を可能にしてみた。
【考案の効果】
【０００５】    すき間のストッパーを筒状にし、曲面ですき間をとめて、直面より、より密着度を高めた。【０００６】    すき間の巾の大小にも広範囲に応じられるものとなる。軸の部分は簡単に取りはずすことができ、筒を切って調節することができる。【０００７】    とりつけたバネにより、よりドアに密着し、換気をしたい時など必要でない時はバネによってバネによって上部に固定しておけるようにしている。
【考案を実施するための最良の形態】
【０００８】    ローラーの両端に軸棒をとりつけ、ドアーの側面にとりつける。とりつけ部分がスベッて回転可能なビスになっているのでローラーが自由に回るようになっている。【０００９】    ローラーには、力のある桃肌の紙を貼り、コロコロよく回るようにする。【００１０】    バネは自転車のスタンドについたバネのように、下に降ろした時も、上にあげた時もローラーが固定できる位置に取り付ける。
【産業上の利用可能性】
【００１１】    特にマンションなど集合住宅などのドアの下のすき間が広いので、各部屋に取り付けると便利だと思われる。簡単に付けられ、かつ材料費があまりかからず、ドアの巾に対する調節も筒を切って調節するだけで済むので、広範囲なドア巾に取り付け可能になる。
【図面の簡単な説明】
【００１２】
【図１】    ドアを正面から見た図です。ローラ（１）はドアのはじからはじまで密着できるようになっていて、とても薄い金属製の２の軸で両端を固定されています。３のバネで上・下に移動した時、固定されます。
【図２】    ドアを側面から見た図です。ドアにとりつけられた軸の金属は、薄いびょうのような止め具で取り付けます。５のローラーにとり付けた止め具はローラーが回りやすいようにいくつかのビニールかプラスチックでできた表面が曲面になったビスになっています。
【図３】    ローラーと軸金の部分を拡大したものです。６は金属のナット付きネジで、７・８・９は、プラスチックでできた球面のビスで、ローラーが回わる時、スムーズに動く助けになります。
【図１】
0003140231.tif 000003
【図２】
0003140231.tif 000004
【図３】
0003140231.tif 000005
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
アーム：１端部ドア両側面に回転可能に取り付けられている一対のもの
ローラー：一対のアームの他端部間に回転可能に支持されている。
（筒）
【請求項２】
請求項１記載のすき間風止めにおいて、各アームの一端部とドア側面の間に潤滑性のあるプラスチックが介在しているすき間風止め。
【請求項３】
請求項１記載のすき間風止めにおいて、ローラの両端とドア側面の間に各々１つずつのバネを設置しすき間を防止する時も、防ぐ密ぺい度を強化し、換気をしたい時も上の方に移動させて、固定できるものとする。
バネの取り付け場所は、アームの回転軸の中心とは、ずらした所にし、上や下にローラーを動かしても適度に固定できるものとする。
【請求項４】
請求項１記載のすき間風止めに於て、使われるローラーは、ドアの幅いっぱいに測られて作られるので、すき間ができない。
【請求項５】
請求項１記載のすき間風止めにおいて使われるローラーは、桃肌状の紙で表面が仕上がっているので、適度な摩擦が起き、ドアを開けた時コロコロンろがり、ドアの開閉を妨げない。
【請求項６】
請求項１記載のすき間風止めにおいて使っているローラーの直径が工夫されている。
ドアをいっぱいに開けた時にも壁とドアの間にはさまって妨げになることのないように、ｃｍにしてある。
【請求項７】
請求項１記載のすき間風止めにおいて色々なドアの幅に対応できるよう、ローラーに取り付けたアームと、側面のネジなどはすぐにはずせるようになっていて、ローラーを切って長さを簡単に調節できるようにしてある。
【手続補正３】
【補正対象書類名】図面
【補正対象項目名】全図
【補正方法】変更
【補正の内容】
【図１】
0003140231.tif 000006
【図２】
0003140231.tif 000007
【図３】
0003140231.tif 000008
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
ドア両側面に回転可能に取り付けられている一対のアームとその他端部間に支持されている筒状ローラーから成るすきま風止め。
【請求項２】
請求項１記載のすき間風止めにおいて、各アームの一端部がドア側面に接地する素材は潤滑性のあるプラスチック素材。
【請求項３】
請求項１記載のすき間風止めにおいて、ローラー両端部と側面の間に各々１つづつのバネを設置しすき間を防止するときも、防ぐ密閉度を強化し、換気をしたい時も上の方に移動させて、固定でき、取り付け場所は、アームの回転軸の中心とはずらした所にし、上や下にローラーを動かしても適度に固定することができる機構。
【請求項４】
請求項１記載のすき間風止めにおいて、使われる筒状ローラーはドアの幅いっぱいに測り、すき間ができないよう条件に合わせて切る事ができる素材。
【請求項５】
請求項１記載のすき間風止めにおいて、使われる筒状ローラーはドアを開閉した時に回転しドアの開閉を妨げないように表面が桃肌状のに加工された紙素材。
【請求項６】
請求項１記載のすき間風止めにおいて、使っている筒状ローラーがドアを完全に開けた状態で壁とドアの間にはさまって破損しないように３５０ｍｍ程度の直径を持つ筒状ローラー。
【請求項７】
請求項１記載のすき間風止めにおいて、筒状ローラーを切って長さを調節できるよう、アームとの接続部分であるねじ穴が空いた側面が着脱可能となっている筒状ローラー。
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
ドア両側面に回転可能に取り付けられている一対のアームとその他端部間に支持されている筒状ローラーから成るすきま風止め。
【請求項２】
請求項１記載のすき間風止めにおいて、各アームの一端部がドア側面に接地する素材が潤滑性であることを特徴とするすきま風止め。
【請求項３】
請求項１記載のすき間風止めにおいて、ローラー両端部と側面の間に各々１つづつのバネを設置しすき間を防止するときも、防ぐ密閉度を強化し、換気をしたい時も上の方に移動させて、固定でき、取り付け場所は、アームの回転軸の中心とはずらした所にし、上や下にローラーを動かしても適度に固定できることを特徴とするすきま風止め。
【請求項４】
請求項１記載のすき間風止めにおいて、使われる筒状ローラーはドアの幅いっぱいに測り、すき間ができないよう条件に合わせて切る事ができることを特徴とするすきま風止め。
【請求項５】
請求項１記載のすき間風止めにおいて、使われる筒状ローラーはドアを開閉した時に回転しドアの開閉を妨げないように表面が桃肌状のに加工された紙素材を特徴とするすきま風止め。
【請求項６】
請求項１記載のすき間風止めにおいて、使っている筒状ローラーがドアを完全に開けた状態で壁とドアの間にはさまって破損しないように３５０ｍｍ程度の直径を持つ筒状ローラーを特徴とするすきま風止め。
【請求項７】
請求項１記載のすき間風止めにおいて、筒状ローラーを切って長さを調節できるよう、アームとの接続部分であるねじ穴が空いた側面が着脱可能となっている筒状ローラーを特徴とするすきま風止め。